(57)【要約】【課題】液晶表示装置の外形寸法の拡大、厚さの増加を抑えて、ＣＯＦ実装部品を収納する。【解決手段】矩形状の可撓性回路基板１１の一端側に液晶表示パネル接続部１２を設け、この一端側と対向する他端側にドライバＩＣを搭載し、このドライバＩＣと液晶表示パネル接続部１２との間の可撓性回路基板１１領域で、ドライバＩＣ１４の駆動信号を供給する駆動回路基板１３を電気的に接続する。【選択図】図１
2011059339.tif 000002
【特許請求の範囲】
【請求項１】
表示領域を備えた液晶表示パネルと、
該液晶表示パネルの背面に設けられた、矩形状の導光板、及び該導光板の少なくとも一辺に沿って設けられたＬＥＤ光源を有するバックライト部と、
その一端部が、前記液晶表示パネル周縁に接続され、該一端部に対向する他端部側に前記液晶表示パネルを駆動するドライバＩＣが配置された可撓性回路基板と、
該可撓性回路基板の前記液晶表示パネルに接続される接続部と前記ドライバＩＣ間の領域で該可撓性回路基板と電気的に接続され前記ドライバＩＣに駆動信号を供給するための駆動回路基板とを備えたことを特徴とする液晶表示装置。
【請求項２】
前記可撓性回路基板は、前記液晶表示パネルの平面延長線方向と平行して配置されている請求項１に記載の液晶表示装置。
【請求項３】
前記可撓性回路基板を、前記ドライバＩＣ及び前記駆動回路基板側を内側にして前記他端部側から前記一端部側に向かって折返して固定したことを特徴とする請求項１記載の液晶表示装置。
【請求項４】
前記可撓性回路基板は、前記液晶表示パネルとの接続部と前記ドライバＩＣとの間の領域に、前記駆動回路基板と電気的に接続させるための駆動回路基板接続部を設けたことを特徴とする請求項１記載の液晶表示装置。
【請求項５】
前記駆動回路基板接続部は、前記液晶表示パネルとの接続部に直接電気的に接続される接続部と、前記ドライバＩＣに電気的に接続される接続部との少なくとも一対の接続部から構成されていることを特徴とする請求項４記載の液晶表示装置。
【発明の詳細な説明】
【技術分野】
【０００１】
本発明は、駆動回路基板が、可撓性回路基板を介して液晶表示パネルに接続された液晶表示装置に関する。
【背景技術】
【０００２】
近年のノートＰＣは、モバイルの需要が高まってきていることから、その筐体として薄型化が急速に進んできている。それに伴い、液晶表示装置への薄型化の要求も大きくなってきている。これらの要求に対して、ＬＥＤ光源を採用し、光源の薄さを生かした液晶表示装置の開発が行われてきている。
【０００３】
液晶表示パネルには、例えばチップオンフィルム（ＣＯＦ）実装部品等を介して駆動回路基板が接続されている。
【０００４】
このＣＯＦ実装部品は、ベースフィルムに接続配線が形成されてなるフレキシブルプリント回路基板（ＦＰＣ）と、ＦＰＣ上に実装されたソースドライバＩＣ等のＩＣチップを有している。そして、ＦＰＣはアレイ基板の周縁部に接続されている（例えば、特許文献１参照）。
【０００５】
ＬＥＤ光源を採用した液晶表示装置では、薄型化と狭額縁化が求められており、このためには、液晶表示パネルと回路基板に接続したチップオンフィルム（ＣＯＦ）実装部品をなるべく厚さや面積が少なくなるように収容し得ることが望まれる。
【先行技術文献】
【特許文献】
【０００６】
【特許文献１】特開２００７−７９１３３号公報
【発明の概要】
【発明が解決しようとする課題】
【０００７】
この発明は、上記技術課題に対処してなされたものであって、外形寸法の拡大及び厚さの増大を抑えて実装部品を収納した液晶表示装置を得ることを目的とする。
【課題を解決するための手段】
【０００８】
本発明の液晶表示装置は、表示領域を備えた液晶表示パネルと、
該液晶表示パネルの背面に設けられた、矩形状の導光板、及び該導光板の少なくとも一辺に沿って設けられたＬＥＤ光源を有するバックライト部と、
その一端部が、前記液晶表示パネル周縁に接続され、該一端部に対向する他端部側に前記液晶表示パネルを駆動するドライバＩＣが配置された可撓性回路基板と、
該可撓性回路基板の前記液晶表示パネルに接続される接続部と前記ドライバＩＣ間の領域で前記可撓性回路基板と電気的に接続され前記ドライバＩＣに駆動信号を供給するための駆動回路基板とを備えたことを特徴とする。
【発明の効果】
【０００９】
この発明によれば、外形寸法の拡大及び厚さの増大を抑えて、液晶表示装置の実装部品を収納することができる。
【図面の簡単な説明】
【００１０】
【図１】第１の実施形態にかかる液晶表示装置の構成を説明するための断面図である。
【図２】本発明に用いられる可撓性回路基板の一例を表す平面図である。
【図３】本発明に係る液晶表示装置の一例の正面図である。
【図４】図１の変形例である。
【発明を実施するための形態】
【００１１】
以下、図面を参照し、本発明をより詳細に説明する。
【００１２】
図１に、本発明の第１の実施形態にかかる液晶表示装置の構成を説明するための断面図を示す。
【００１３】
この液晶表示装置１は、複数の表示画素が配列された表示領域を備え、その背面側に設けられたアレイ基板３と、アレイ基板３に対向して表示側に設けられた対向基板２と、これらの基板２，３間に配向膜を介して封入された図示しない液晶組成物とを含む液晶表示パネル４を有する。
【００１４】
アレイ基板３の背面には、バックライト部１０が設けられ、このバックライト部１０は、例えば両面接着テープ２３で液晶表示パネル４の背面側に接着固定されている。
【００１５】
バックライト部１０は、矩形状の導光板５、導光板５の液晶表示パネル４側に設けられた例えばプリズムシート及び拡散シート等の光学シート７、導光板５の背面側に設けられた反射シート６、及び導光板５の一辺に沿って設けられたＬＥＤ光源８、及び導光板５周縁とＬＥＤ光源８を包み込むようにはめ込まれたフレーム９を有する。導光板５は、好ましくは、１ｍｍ以下の厚さ、さらに好ましくは、０．２ｍｍないし１ｍｍの厚さを有する。光学シート７は、必要に応じて導光板５背面に設けることも可能である。また、光学シート７を設けずに、導光板５表面をプリズムシート及び拡散シートと同様の形状（例えばプリズム面やドットパターンを有するシボ面など）に加工することも可能である。
【００１６】
アレイ基板３は、例えば、ガラス基板と、ガラス基板上にマトリクス状に配置された複数本の信号線及び複数本の走査線と、信号線と走査線との各交差点近傍に配置されたスイッチング素子としての薄膜トランジスタ（ＴＦＴ）と、薄膜トランジスタを介して設けられた画素電極を有する。このガラス基板には、走査線とほぼ平行な補助容量線を設けることができる。
【００１７】
また対向基板２は、例えば、ガラス基板と、アレイ基板３上に設けられた薄膜トランジスタ、及び画素電極周辺と走査線や信号線などの各種配線パターン部分を遮光するマトリ（ッ）クス状の遮光層、及び遮光層上に絶縁膜を介して設けられた透明な対向電極を有し得る。液晶表示パネル４をカラー表示可能な液晶表示パネル４として構成する場合には、アレイ基板３もしくは対向基板２上に画素電極と対向するようにカラーフィルタ層が形成される。
【００１８】
この液晶表示装置１においては、アレイ基板３の各信号線と走査線、補助容量線、及び対向基板２に形成された対向電極は、アレイ基板３に形成される可撓性回路基板接続部に接続された可撓性回路基板１１を介して駆動回路基板１３に電気的に接続され得る。
【００１９】
図２に、本発明に用いられる可撓性回路基板１１の一例を表す平面図を示す。
【００２０】
図示するように、可撓性回路基板１１は、例えばポリイミドなどの可撓性絶縁材料によって形成されたベースフィルム２０と、ベースフィルム２０の一主面上に、金属膜によって形成された複数の配線を有する。ベースフィルム２０の一主面の一端には、複数の配線を、アレイ基板３の各信号線及び走査線などに電気的に接続させ、かつアレイ基板３の周縁に可撓性回路基板１１を固定するアレイ基板接続部（液晶表示パネル接続部）１２が設けられている。
【００２１】
このような構成を有する可撓性回路基板１１において、図１に示すように、ベースフィルム２０の一主面のアレイ基板接続部１２と対向する他端近傍には、ソースドライバＩＣ１４が実装される。
【００２２】
また、可撓性回路基板１１のアレイ基板接続部１２とソースドライバＩＣ１４との間で、このアレイ基板接続部１２が形成された辺に隣接する両側辺近傍の２つの領域には、駆動回路基板接続部１６が設けられている。この駆動回路基板接続部１６は、夫々電気的に分離されているソースドライバＩＣへの接続用の接続部１６ａと、直接アレイ基板接続部１２に接続される接続部１６ｂとの一対で構成され、さらに、これら一対の各接続部１６ａ，１６ｂが可撓性回路基板１１の両側に配置されている。この駆動回路基板接続部１６上に、駆動回路基板１３及びこの駆動回路基板１３と電気的に接続されたＩ／Ｆ（インターフェース）コネクタ１５が実装される。
【００２３】
ＬＥＤ光源８の上方にあたるアレイ基板３の一辺は、対向基板２の端縁よりも外側に少し延出された張り出し領域１７を有する。この張り出し領域１７の表示面側に、各信号線及び走査線などの配線パターンと電気的に接続された可撓性回路基板接続部２２が設けられ、可撓性回路基板１１のアレイ基板接続部１２と異方導電性接着材などによって電気的に接続される。
【００２４】
これにより、Ｉ／Ｆコネクタ１５を介して駆動回路基板１３に入力された駆動信号の一部は、駆動回路基板接続部１６の接続部１６ａを介してソースドライバＩＣ１４に入り、ソースドライバＩＣ１４にて液晶パネル４を駆動するための駆動信号形態に処理され、このソースドライバＩＣ１４からの信号は、アレイ基板接続部１２を介して信号線に送られる。必要に応じて、ソースドライバＩＣ１４から走査線駆動用のクロック信号などを供給するようにしても差し支えない。
【００２５】
一方、駆動回路基板１３からの駆動信号の一部は、駆動回路基板接続部１６の他方の接続部１６ｂを介してアレイ基板接続部１２に直接供給されるようにパターン化されている。この駆動信号の一部としては、走査線駆動用の信号や電源電圧、対向電極駆動電圧などの駆動信号が含まれるが、必ずしもこれらに限定されることはなく、接続部１６ａ，１６ｂでソースドライバＩＣ１４を経由させるものと、経由させないものとを夫々分担させれば良い。
【００２６】
この可撓性回路基板１１は、図示するように、ベースフィルム２０に対し、アレイ基板接続部１２と、駆動回路基板１３と、Ｉ／Ｆコネクタ１５と、ソースドライバＩＣ１４及び駆動回路基板接続部１６は、全て一平面（背面）側に位置している。
【００２７】
図３に、本発明に係る液晶表示装置の一例の正面図を示す。
【００２８】
図示するように、この液晶表示装置１は、表示領域を備えた液晶表示パネル４と、その一部が延出した張り出し領域１７と、その端部が張り出し領域１７に形成された可撓性回路基板接続部２２にアレイ基板接続部１２が異方導電性接着材によって固定された可撓性回路基板１１と、可撓性回路基板１１を介して液晶表示パネル４と接続された駆動回路基板１３とを有する。可撓性回路基板１１裏面のうち、張り出し領域１７に固定された端部とは反対側（対向する側）の端部近傍にはソースドライバＩＣ１４が、またソースドライバＩＣ１４と張り出し領域１７に固定された端部との間の領域には駆動回路基板１３が（、）各々設けられ、駆動回路基板１３と可撓性回路基板１１とは、駆動回路基板接続部１６で異方導電性接着材によって電気的に接続固定されている。
【００２９】
図４には、本発明の液晶表示装置の変形例を表す断面図を示す。
【００３０】
図示するように、例えば図１に示す可撓性回路基板１１のソースドライバＩＣ１４が設けられた端部領域を、駆動回路基板１３及びＩ／Ｆコネクタ１５を内側にして折り返すことができる。この液晶表示装置１では、このとき、ソースドライバＩＣ１４、駆動回路基板１３、及びＩ／Ｆコネクタ１５が全て可撓性回路基板１１の背面側にあり、かつＬＥＤ光源８の延長線上方向（液晶表示パネル４の平面延長線上方向）に平行して並列に駆動回路基板１３や可撓性回路基板１１などを配置しているため、可撓性回路基板１１を折り返したときに、Ｉ／Ｆコネクタ１５とソースドライバＩＣ１４が互いに空いた領域に収まるので、厚さを低（限）減することが出来るとともに、ＬＥＤ光源８の延長線上方向に突出する長さを短く構成することが可能となり、液晶表示装置１をより薄型、小型化することが出来る。
【００３１】
このように、本発明によれば液晶表示装置の外形寸法（額縁寸法）拡大を最少にとどめた上で装置の薄型化が実現できる。ソースドライバＩＣ１４が設けられた端部領域は、折り返して巻き付け配置することも出来る。
【００３２】
例えば、もし、ソースドライバＩＣ１４、及び駆動回路基板１３が背面側、Ｉ／Ｆコネクタ１５が表示側に形成されていると、Ｉ／Ｆコネクタ１５とソースドライバＩＣ１４が互いに駆動回路基板１３を介して反対側に設けられるので、厚さを低減出来ない。また、もし、張り出し領域１７に固定された端部とは反対側の可撓性回路基板１１の端部近傍に駆動回路基板１３が、また駆動回路基板１３と張り出し領域１７に固定された端部との間の領域にソースドライバＩＣ１４が、各々設けられていると、折り返したときに駆動回路基板１３と可撓性回路基板１１との間の接続強度が不十分となり、可撓性回路基板１１自体、もしくは可撓性回路基板１１上の回路パターンを破断する可能性がある。
【００３３】
本発明のように、液晶表示パネル４と可撓性回路基板１１と駆動回路基板１３を接続したときに、ソースドライバＩＣ１４が駆動回路基板１３の外側となるように可撓性回路基板１１の端辺側に配置されるようにし、駆動回路基板１３外側に飛び出しているソースドライバＩＣ１４実装部分の可撓性回路基板１１を駆動回路基板１３裏面側に巻きつけるように配置すると、可撓性回路基板１１自体、もしくは可撓性回路基板１１上の回路パターンや接続部分の破断を起こすことなく、外形寸法の拡大を抑えて、液晶表示装置の薄型化が可能となる。
【符号の説明】
【００３４】
１…液晶表示装置，２…対向基板，３…アレイ基板，４…液晶表示パネル，５…導光板，６…反射シート，７…光学シート，８…ＬＥＤ光源，９…フレーム，１０…バックライト部，１１…可撓性回路基板，１２…アレイ基板接続部，１３…駆動回路基板，１４…ソースドライバＩＣ，１５…Ｉ／Ｆコネクタ，１６，１６ａ，１６ｂ…駆動回路基板接続部，
【図１】
2011059339.tif 000003
【図２】
2011059339.tif 000004
【図３】
2011059339.tif 000005
【図４】
2011059339.tif 000006